(57)【特許請求の範囲】
【請求項１】
被写体像を撮像する撮像手段へ被写体光を導くために前記撮像手段の前方に設けられる撮影開口と、
前記撮影開口を遮蔽および開放することで前記撮像手段への被写体光の入射を禁止および許可する遮光羽根群と、
前記遮光羽根群が取り付けられる略板状部材であって、前記略板状部材の一部が厚さ方向に立ち上がって延在して略円筒形状を呈するように形成された円筒部を有する第１のアームおよび第２のアームと、
前記円筒部の内周部分に挿通させることで前記各アームをそれぞれ回動可能に軸支する第１の支持軸および第２の支持軸と、前記各支持軸の周囲に設けられ前記各支持軸で軸支された前記各アームに前記各支持軸の基端部側から当接して前記各アームの前記基端部側への移動を規制する当接部と、を有する基板と、
前記各支持軸に軸支された前記各アームに前記各支持軸の先端部側から当接して前記各アームの前記先端部側への移動をそれぞれ規制する移動規制部と、を備え、
前記第１のアームは、前記第２のアームより前記基板から離れた位置で前記当接部により前記基端部側への移動が規制され、かつ、前記第２のアームより前記基板から離れた位置で前記移動規制部により前記先端部側への移動が規制され、
前記第１のアームの前記円筒部は、前記基端部側に延在し、
前記第１のアームを軸支する前記第１の支持軸の周囲に設けられた前記当接部に該第１のアームの前記円筒部との干渉を防止する逃げが設けられ、
前記第２のアームの前記円筒部は、前記先端部側に延在し、
前記第２のアームを軸支する前記第２の支持軸の周囲であって前記第２のアームの前記先端部側への移動を規制する前記移動規制部に、前記第２のアームの前記円筒部との干渉を防止する逃げが設けられることを特徴とするシャッタ装置。
【請求項２】
請求項１に記載のシャッタ装置と、
前記撮像手段とを備えることを特徴とするカメラ。
【発明の詳細な説明】
【技術分野】
【０００１】
本発明は、被写体光を導く撮影開口を開放および遮光するシャッタ装置、および、このシャッタ装置を備えるカメラに関する。
【背景技術】
【０００２】
カメラには、被写体光を導く撮影開口を開放および遮光するシャッタ装置が設けられている。このシャッタ装置では、シャッタ羽根（遮光幕羽根群）が高速で走行することで撮影開口を開放および遮光するように構成されている。遮光幕羽根群は、アームの一端に取り付けられている。アームの他端は、シャッタ基板に回動可能に軸支されている。そして、このアームが回動することによって遮光幕羽根群が走行して撮影開口を開放および遮光するように構成されている（特許文献１参照）。
【先行技術文献】
【特許文献】
【０００３】
【特許文献１】特開２００２−３６５６９５号公報
【発明の概要】
【発明が解決しようとする課題】
【０００４】
しかし、上述した特許文献に記載のシャッタ装置では、薄板状のアームに貫通孔を設け、この貫通孔に挿通される支持軸によってアームが軸支されているため、支持軸に接触する面積が小さく、支持軸の摩耗が懸念される。又は別部品をかしめることでスラスト支持耐久の向上を図る技術があるが、この場合、コストの増加、重量増加および別部品付加のための精度低下するという問題があった。
【課題を解決するための手段】
【０００５】
（１）請求項１の発明によるシャッタ装置は、被写体像を撮像する撮像手段へ被写体光を導くために撮像手段の前方に設けられる撮影開口と、撮影開口を遮蔽および開放することで撮像手段への被写体光の入射を禁止および許可する遮光羽根群と、遮光羽根群が取り付けられる略板状部材であって、略板状部材の一部が厚さ方向に立ち上がって延在して略円筒形状を呈するように形成された円筒部を有する第１のアームおよび第２のアームと、円筒部の内周部分に挿通させることで各アームをそれぞれ回動可能に軸支する第１の支持軸および第２の支持軸と、各支持軸の周囲に設けられ各支持軸で軸支された各アームに各支持軸の基端部側から当接して各アームの基端部側への移動を規制する当接部と、を有する基板と、各支持軸に軸支された各アームに各支持軸の先端部側から当接して各アームの先端部側への移動をそれぞれ規制する移動規制部と、を備え、第１のアームは、第２のアームより基板から離れた位置で当接部により基端部側への移動が規制され、かつ、第２のアームより基板から離れた位置で移動規制部により先端部側への移動が規制され、第１のアームの円筒部は、基端部側に延在し、第１のアームを軸支する第１の支持軸の周囲に設けられた当接部に該第１のアームの円筒部との干渉を防止する逃げが設けられ、第２のアームの円筒部は、先端部側に延在し、第２のアームを軸支する第２の支持軸の周囲であって第２のアームの先端部側への移動を規制する移動規制部に、第２のアームの円筒部との干渉を防止する逃げが設けられることを特徴とする。
（２）請求項２の発明によるカメラは、請求項１に記載のシャッタ装置と、撮像手段とを備えることを特徴とする。
【発明の効果】
【０００６】
本発明によれば、重量増加をおさえつつシャッタ装置の寿命を延ばすことができる。
【図面の簡単な説明】
【０００７】
【図１】（ａ）は、本発明によるシャッタ装置を備えたカメラである一眼レフタイプのカメラボディ１を上面から見た断面図であり、（ｂ）は、カメラボディ１を側面から見た断面図である。
【図２】遮光幕機構４００の分解図である。
【図３】後カバー４７０および仕切板４５１を除いた遮光幕機構４００を後方から見たときの図である。
【図４】後カバー４７０および仕切板４５１を除いた遮光幕機構４００の一部分についての分解図である。
【図５】各アーム４２１，４２２，４４１，４４２の支持部分の断面を示す図である。
【図６】先幕主アーム４２１の支持部分近傍の断面の拡大図である。
【図７】後幕主アーム４４１の支持部分近傍の断面の拡大図である。
【発明を実施するための形態】
【０００８】
図１〜７を参照して、本発明によるシャッタ装置およびカメラの一実施の形態を説明する。図１（ａ）は、本発明によるシャッタ装置を備えたカメラである一眼レフタイプのカメラボディ１を上面から見た断面図であり、図１（ｂ）は、カメラボディ１を側面から見た断面図である。カメラボディ１には、ミラーボックス１０と、シーケンスシャッタ駆動ユニット１００と、遮光幕機構４００と、撮像素子３と、シーケンスモータ４と、ファインダー光学系２０と、測光ユニット５と、ＡＦユニット６と、背面表示モニタ７とが設けられている。８は、カメラボディ１内に装着された電池である。カメラボディ１の前面には、撮影レンズ２が取り付けられている。説明の便宜上、カメラボディ１の上下方向、左右方向、および前後方向を各図に記載したように規定する。
【０００９】
ミラーボックス１０は、メインミラー１１およびサブミラー１２を収容し、撮影光路を形成する。ミラーボックス１０は、カメラボディ１に取り付けられている。シーケンスシャッタ駆動ユニット１００は、絞り機構や、ミラー回動機構、遮光幕機構４００の後述する先幕遮光羽根群および後幕遮光羽根群を駆動する駆動機構である。遮光幕機構４００は、先幕遮光羽根群および後幕遮光羽根群を有し、所定時間だけ撮影開口を開放および遮光する公知の装置である。遮光幕装置４００の詳細については後述する。
【００１０】
撮像素子３は、ＣＣＤやＣＭＯＳ等の固体撮像素子で構成され、撮影レンズ２により結像された被写体像を電気信号に変換する。シーケンスモータ４は、シーケンスシャッタ駆動ユニット１００の駆動力を発生する駆動源である。ファインダー光学系２０は、ペンタプリズム２１や接眼レンズ２２を有し、メインミラー１１で反射された被写体光による像（被写体像）を観察するためのものである。測光ユニット５は、ペンタプリズム２１から射出される被写体光を利用して測光するＣＣＤユニットである。ＡＦユニット６は、メインミラー１１およびサブミラー１２を介して入射される被写体光を利用して焦点検出を行う。背面表示モニタ７は、たとえば液晶表装置などが用いられ、撮影時の各種情報や、撮像して得られた被写体像の画像や、スルー画像（ライブビュー画像またはライブプレビュー画像ともいう）などを表示する。
【００１１】
−−−遮光幕機構４００−−−
図２は、遮光幕機構４００の分解図であり、図３は、後述する後カバー４７０および仕切板４５１を除いた遮光幕機構４００を後方から見たときの図であり、図４は、後カバー４７０および仕切板４５１を除いた遮光幕機構４００の一部分についての分解図である。遮光幕機構４００は、先幕遮光羽根群４１１と、先幕主アーム４２１と、先幕従動アーム４２２と、後幕遮光羽根群４３１と、後幕主アーム４４１と、後幕従動アーム４４２と、仕切板４５１と、前ケース４６０と、後カバー４７０とを備えている。
【００１２】
先幕遮光羽根群４１１は、後述する前ケース４６０の撮影開口４６１を開放および遮光するための遮光羽根群であり、たとえば３枚の羽根から成る。先幕主アーム４２１および先幕従動アーム４２２は、先幕遮光羽根群４１１を駆動するためのアームであり、かしめピンによって先幕遮光羽根群４１１の各羽根がそれぞれ回動可能に取り付けられている。先幕主アーム４２１は、支持軸穴４２１ａと、係合穴４２１ｂとを有し、先幕従動アーム４２２は、支持軸穴４２２ａを有する。支持軸穴４２１ａ，４２２ａについては後に詳述する。
【００１３】
後幕遮光羽根群４３１は、先幕遮光羽根群４１１と同様に撮影開口４６１を開放および遮光するための遮光羽根群であり、たとえば３枚の羽根から成る。後幕主アーム４４１および後幕従動アーム４４２は、後幕遮光羽根群４３１を駆動するためのアームであり、かしめピンによって後幕遮光羽根群４３１の各羽根がそれぞれ回動可能に取り付けられている。後幕主アーム４４１は、支持軸穴４４１ａと、係合穴４４１ｂとを有し、後幕従動アーム４４２は、支持軸穴４４２ａを有する。支持軸穴４４１ａ，４４２ａについては後に詳述する。
【００１４】
仕切板４５１は、先幕遮光羽根群４１１と後幕遮光羽根群４３１とが干渉するのを防止する機能を有する部材であり、撮影開口４６１に対応する開口４５１ａが設けられている。
【００１５】
前ケース４６０は、先幕遮光羽根群４１１および後幕遮光羽根群４３１が収容されるケースであり、ミラーボックス１０側の被写体光から撮像素子３側を遮光する機能も有する。前ケース４６０には、撮影開口４６１と、長穴４６２，４６３と、主アーム支持軸貫通孔４６４，４６５と、従動アーム支持軸貫通孔４６６が設けられている。
【００１６】
撮影開口４６１は、撮像素子３に被写体光を導くための開口である。長穴４６２は、先幕遮光羽根群４１１を駆動するためにシーケンスシャッタ駆動ユニット１００に設けられている不図示の先幕駆動レバーの腕が挿通される穴であり、先幕駆動レバーの回動による腕の動きを妨げないように長穴形状を呈している。同様に、長穴４６３は、後幕遮光羽根群４３１を駆動するためにシーケンスシャッタ駆動ユニット１００に設けられている不図示の後幕駆動レバーの腕が挿通される穴であり、後幕駆動レバーの回動による腕の動きを妨げないように長穴形状を呈している。
【００１７】
主アーム支持軸貫通孔４６４，４６５は、それぞれ後述する先幕主アーム支持ピン１８１および後幕主アーム支持ピン１８２が挿通される穴である。従動アーム支持軸貫通孔４６６は、後述する先幕従動アーム支持ピン１８３および後幕従動アーム支持ピン１８４が挿通される穴である。
【００１８】
後カバー４７０は、前ケース４６０の後方から取り付けられて、前ケース４６０の後方を閉じるための板状部材である。後カバー４７０は、前ケース４６０の撮影開口４６１に対応する開口４７１と、前ケース４６０の長穴４６２，４６３に対応する長穴４７２，４７３とを有する。また、後カバー４７０には、主アーム支持軸貫通孔４６４，４６５に対応する位置に貫通孔４７６，４７７が、従動アーム支持軸貫通孔４６６に対応する位置に貫通孔４７８，４７９が設けられている。
【００１９】
なお、本実施の形態の遮光幕機構４００では、前ケース４６０と仕切板４５１との間に後幕遮光羽根群４３１が配設され、仕切板４５１と後カバー４７０との間に先幕遮光羽根群４１１が配設される。前ケース４６０と後カバー４７０とによって、遮光羽根群の収納部、すなわちシャッタ羽根収納部が構成されている。
【００２０】
−−−シーケンスシャッタ駆動ユニット１００−−−
シーケンスシャッタ駆動ユニット１００には、先幕遮光羽根群４１１を駆動するための不図示の先幕駆動レバーや、後幕遮光羽根群４３１を駆動するための不図示の後幕駆動レバー、これらのレバーを駆動するための不図示のカムなどがシーケンス地板１１０上に設けられている。シーケンス地板１１０の前面には、先幕駆動レバーを回動可能に軸支する軸１１２ｇと、後幕駆動レバーを回動可能に軸支する軸１１２ｈとが立設されている。シーケンス地板１１０の後面（背面）には、先幕主アーム支持ピン１８１、後幕主アーム支持ピン１８２、先幕従動アーム支持ピン１８３、および後幕従動アーム支持ピン１８４が立設されている。
【００２１】
先幕主アーム支持ピン１８１は、先幕主アーム４２１の支持軸穴４２１ａに挿通されて先幕主アーム４２１を回動可能に軸支するピンである。後幕主アーム支持ピン１８２は、後幕主アーム４４１の支持軸穴４４１ａに挿通されて後幕主アーム４４１を回動可能に軸支するピンである。なお、先幕主アーム支持ピン１８１は、中心軸が軸１１２ｇの中心軸と一致するように設けられ、後幕主アーム支持ピン１８２は、中心軸が軸１１２ｈの中心軸と一致するように設けられている。このように先幕主アーム支持ピン１８１および後幕主アーム支持ピン１８２を配設することで、先幕主アーム４２１および後幕主アーム４４１の回動が円滑となり、かつ、先幕駆動レバーおよび後幕駆動レバーから先幕主アーム４２１および後幕主アーム４４１への動力の伝達効率も向上する。
【００２２】
先幕従動アーム支持ピン１８３は、先幕従動アーム４２２の支持軸穴４２２ａに挿通されて先幕従動アーム４２２を回動可能に軸支するピンである。後幕従動アーム支持ピン１８４は、後幕従動アーム４４２の支持軸穴４４２ａに挿通されて後幕従動アーム４４２を回動可能に軸支するピンである。
【００２３】
遮光幕機構４００にシーケンスシャッタ駆動ユニット１００が取り付けられると、遮光幕機構４００の各部とシーケンスシャッタ駆動ユニット１００の各部とは、以下の（ａ）〜（ｆ）のような関係となる。
（ａ）  先幕主アーム支持ピン１８１が前ケース４６０の主アーム支持軸貫通孔４６４および先幕主アーム４２１の支持軸穴４２１ａに挿通される。これにより、先幕主アーム４２１は、先幕主アーム支持ピン１８１で回動可能に軸支される。
【００２４】
（ｂ）  不図示の先幕駆動レバーの腕が前ケース４６０の長穴４６２および先幕主アーム４２１の係合穴４２１ｂに挿通される。これにより、先幕駆動レバーの腕が先幕主アーム４２１の係合穴４２１ｂと係合する。
【００２５】
（ｃ）  先幕従動アーム支持ピン１８３が従動アーム支持軸貫通孔４６６および先幕従動アーム４２２の支持軸穴４２２ａに挿通される。これにより、先幕従動アーム４２２は、先幕従動アーム支持ピン１８３で回動可能に軸支される。
【００２６】
（ｄ）  後幕主アーム支持ピン１８２が主アーム支持軸貫通孔４６５および後幕主アーム４４１の支持軸穴４４１ａに挿通される。これにより、後幕主アーム４４１は、後幕駆動レバー係止ピン１８２で回動可能に軸支される。
【００２７】
（ｅ）  不図示の後幕駆動レバーの腕が前ケース４６０の長穴４６３および後幕主アーム４４１の係合穴４４１ｂに挿通される。これにより、後幕駆動レバーの腕が後幕主アーム４４１の係合穴４４１ｂと係合する。
【００２８】
（ｆ）  後幕従動アーム支持ピン１８４が従動アーム支持軸貫通孔４６６および後幕従動アーム４４２の支持軸穴４４２ａに挿通される。これにより、後幕従動アーム４４２は、後幕従動アーム支持ピン１８４で回動可能に軸支される。
【００２９】
なお、前ケース４６０および後カバー４７０が不図示のビスでシーケンス地板１１０に取り付けられることで、遮光幕機構４００がシーケンスシャッタ駆動ユニット１００に対して取り付けられて固定される。
【００３０】
このように、遮光幕機構４００がシーケンスシャッタ駆動ユニット１００に対して取り付けられると、上述したように、先幕主アーム４２１が先幕主アーム支持ピン１８１で回動可能に軸支され、先幕従動アーム４２２が先幕従動アーム支持ピン１８３で回動可能に軸支される。先幕主アーム４２１および先幕従動アーム４２２が先幕主アーム支持ピン１８１および先幕従動アーム支持ピン１８３を中心に回転駆動されると、先幕遮光羽根群４１１が連動して駆動される。すなわち、先幕主アーム４２１と先幕従動アーム４２２とによって構成される周知のリンク機構によって先幕遮光羽根群４１１の３枚の羽根が連動して駆動されて、前ケース４６０の撮影開口４６１を上下方向に移動するように構成されている。先幕遮光機構は、先幕遮光羽根群４１１、先幕主アーム４２１および先幕従動アーム４２２によって構成される。
【００３１】
同様に、遮光幕機構４００がシーケンスシャッタ駆動ユニット１００に対して取り付けられると、上述したように、後幕主アーム４４１が後幕主アーム支持ピン１８２で回動可能に軸支され、後幕従動アーム４４２が後幕従動アーム支持ピン１８４で回動可能に軸支される。後幕主アーム４４１および後幕従動アーム４４２が後幕主アーム支持ピン１８２および後幕従動アーム支持ピン１８４を中心に回転駆動されると、後幕遮光羽根群４３１が連動して駆動される。すなわち、後幕主アーム４４１と後幕従動アーム４４２とによって構成される周知のリンク機構によって後幕遮光羽根群４３１の３枚の羽根が連動して駆動されて、前ケース４６０の撮影開口４６１を上下方向に移動するように構成されている。後幕遮光機構は、後幕遮光羽根群４３１、後幕主アーム４４１および後幕従動アーム４４２によって構成される。
【００３２】
−−−支持軸穴４２１ａ，４２２ａ，４４１ａ，４４２ａの形状について−−−
図５は、各アーム４２１，４２２，４４１，４４２の支持部分の断面を示す図であり、図６は、先幕主アーム４２１の支持部分近傍の断面の拡大図であり、図７は、後幕主アーム４４１の支持部分近傍の断面の拡大図である。説明の便宜上、図６，７では、先幕主アーム４２１および後幕主アーム４４１の断面を塗りつぶしている。図４，６によく示すように、支持軸穴４２１ａは、円筒支持部４２１０によって構成されている。同様に、支持軸穴４２２ａ，４４１ａ，４４２ａは、円筒支持部４２２０，４４１０，４４２０によって構成されている。すなわち、円筒支持部４２１０，４２２０，４４１０，４４２０の円筒の中空部分が支持軸穴４２１ａ，４２２ａ，４４１ａ，４４２ａにそれぞれ該当する。
【００３３】
なお、後幕遮光機構は先幕遮光機構と同じ部品から構成されている。すなわち、先幕主アーム４２１は、後幕主アーム４４１と同じ部品であり、先幕従動アーム４２２は、後幕従動アーム４４２と同じ部品である。先幕遮光羽根群４１１を構成する各羽根は、後幕遮光羽根群４３１を構成する各羽根とそれぞれ同じ部品である。後幕遮光機構は、先幕遮光機構と同じ部品を、表裏面が反対向きにされて取り付けられている。したがって、以下の説明では、先幕主アーム４２１の支持軸穴４２１ａ（円筒支持部４２１０）について主に説明し、後幕主アーム４４１の支持軸穴４４１ａ（円筒支持部４４１０）については重複する説明を省略する。また、先幕従動アーム４２２の支持軸穴４２２ａ（円筒支持部４２２０）近傍の構造は、先幕主アーム４２１の支持軸穴４２１ａ（円筒支持部４２１０）近傍の構造と同じであり、後幕従動アーム４４２の支持軸穴４４２ａ（円筒支持部４４２０）近傍の構造は、後幕主アーム４４１の支持軸穴４４１ａ（円筒支持部４４１０）近傍の構造と同じであるので、詳細な説明を省略する。
【００３４】
図６に示すように、円筒支持部４２１０は、先幕主アーム４２１を構成する薄板に設けられた円形開口の周縁部分を薄板の厚さ方向の一方（前方）に向かって湾曲させたように、先幕主アーム４２１を構成する薄板から連続的に円筒状に形成された部位であり、先幕主アーム４２１を構成する薄板に対して垂直な方向に延在している。すなわち、円筒支持部４２１０は、先幕主アーム４２１を構成する薄板が、その厚さ方向に立ち上がって延在して略円筒形状を呈するように形成されている。
【００３５】
このように、円筒支持部４２１０を設け、円筒支持部４２１０の内周面に先幕主アーム支持ピン１８１を挿通させて先幕主アーム４２１を回動可能に軸支することで、円筒支持部４２１０が設けられていない場合と比べて、先幕主アーム支持ピン１８１の外周面との接触面積を増やすことができる。これにより、先幕主アーム支持ピン１８１の摩耗を抑制できるとともに、先幕主アーム４２１が先幕主アーム支持ピン１８１に対して傾斜してしまうことを抑制できる。したがって、部品点数を少なくでき、重量増加を抑えつつ遮光幕機構４００の寿命を延ばすことができる。
【００３６】
円筒支持部４２１０は、たとえば、先幕主アーム４２１を構成する薄板に対してフォージングやバーリングなどの塑性加工を行うことで形成される。これにより、円筒支持部４２１０を簡単に、そして安価に形成できる。そして、先幕主アーム４２１を構成する薄板の一部を加工して円筒支持部４２１０を形成することにより、円筒支持部４２１０の精度を向上できる。すなわち、たとえば、従来のシャッタ装置の場合のように、アームに開けた穴に、軸穴を有する別の部材をはめ込んでかしめる等することで、支持軸穴４２１ａに相当する支持軸穴を設けた場合と比べると、円筒支持部４２１０の精度を向上できる。アームに開けた穴と、軸穴を有する別の部材がアームに固定されたときの軸穴とでは、位置にずれが生じるからである。これに対して、本実施の形態では、上述したような位置のずれがなくなるので、先幕遮光羽根群４１１の各羽根を回動可能に軸支する部分との距離の精度を向上でき、先幕遮光羽根群４１１の走行、停止位置の精度を向上できる。したがって、シャッタ秒時の制御精度が向上し、撮像して得られる画像の画質を向上できる。
【００３７】
先幕主アーム４２１は、段付きの異径形状を呈する先幕主アーム支持ピン１８１の先端近傍の小径部分（小径部１８１ａ）で軸支され、小径部分と大径部分（大径部１８１ｂ）との段付き部分（肩部）１８１ｃが先幕主アーム４２１の前面と当接可能であり、先幕主アーム４２１の前方への移動が規制されている。なお、肩部１８１ｃには、前方に向かって延在する円筒支持部４２１０との干渉を防止する逃げ１８１ｄが設けられている。このように、肩部１８１ｃは、円筒支持部４２１０よりも半径方向外側で先幕主アーム４２１に当接する。そして、先幕主アーム４２１の円筒支持部４２１０以外の平坦部分で当接することで、先幕主アーム４２１が先幕主アーム支持ピン１８１の基端側へ移動することを禁止している。
【００３８】
後カバー４７０の貫通孔４７６の周縁部分は前方に突出しており、この突出部分（突出部４７６ａ）が先幕主アーム４２１の後面と当接可能であり、先幕主アーム４２１の後方への移動を規制している。このように、円筒支持部４２１０ではなく、円筒支持部４２１０の周囲の部位である、先幕主アーム４２１を構成する板状の部位で先幕主アーム４２１の厚さ方向への移動を規制するように構成している。これにより、先幕主アーム４２１の前面および後面の広い面積を有する部分で接触（当接）できるので、先幕主アーム４２１の前後方向への移動を効果的に規制でき、先幕遮光羽根群４１１の動きを安定化して、撮像して得られる画像の画質を向上できる。また、円筒支持部４２１０の前方の端面に対して肩部１８１ｃが前方から接触せず、円筒支持部４２１０自体、および肩部１８１ｃが損傷しないので、遮光幕機構４００の寿命を延ばすことができる。
【００３９】
なお、先幕従動アーム支持ピン１８３は、先幕主アーム支持ピン１８１の小径部１８１ａ、大径部１８１ｂ、肩部１８１ｃ、逃げ１８１ｄにそれぞれ相当する小径部１８３ａ、大径部１８３ｂ、肩部１８３ｃ、逃げ１８３ｄを有している。また、後カバー４７０は、突出部４７６ａに相当する突出部４７８ａを有している。
【００４０】
図７に示すように、円筒支持部４４１０は、後幕主アーム４４１を構成する薄板に対して後方に延在している。後幕主アーム４４１は、段付きの異径形状を呈する後幕主アーム支持ピン１８２の先端近傍の小径部分（小径部１８２ａ）で軸支され、小径部分と大径部分（大径部１８２ｂ）との段付き部分（肩部）１８２ｃが後幕主アーム４４１の前面と当接可能であり、後幕主アーム４４１の前方への移動が規制されている。
【００４１】
後カバー４７０の貫通孔４７７の周縁部分は前方に突出しており、この突出部分（突出部４７７ａ）が後幕主アーム４４１の後面と当接可能であり、後幕主アーム４４１の後方への移動を規制している。なお、貫通孔４７７の内径の大きさは、後方に向かって延在する円筒支持部４４１０との干渉を防止するため、円筒支持部４４１０の外径よりも大きい。このように、突出部４７７ａは、円筒支持部４４１０よりも半径方向外側で後幕主アーム４４１に当接する。そして、後幕主アーム４４１の円筒支持部４４１０以外の平坦部分で当接することで、後幕主アーム４４１が後幕主アーム支持ピン１８２の先端側へ移動することを禁止している。
【００４２】
なお、後幕従動アーム支持ピン１８４は、後幕主アーム支持ピン１８２の小径部１８２ａ、大径部１８２ｂ、肩部１８２ｃにそれぞれ相当する径部１８４ａ、大径部１８４ｂ、肩部１８４ｃを有している。また、後カバー４７０は、突出部４７７ａに相当する突出部４７９ａを有している。
【００４３】
−−−変形例−−−
（１）  上述の説明では、遮光幕機構４００が先幕遮光羽根群４１１および後幕遮光羽根群４３１の２組の遮光幕羽根群を有しているが、本発明はこれに限定されない。たとえば、遮光幕機構４００が有する遮光羽根群が１組であってもよい。
【００４４】
（２）  上述の説明では、各アーム４２１，４２２，４４１，４４２のそれぞれの支持軸穴４２１ａ，４２２ａ，４４１ａ，４４２ａが円筒支持部４２２０，４４１０，４４２０によって構成されているが、本発明はこれに限定されない。主アームおよび従動アームのいずれか一方の支持軸穴だけが円筒支持部によって構成され、他方の支持軸穴が単に板状のアームに穴を開けただけの構造とされていてもよい。なお、この場合には、シーケンスシャッタ駆動ユニット１００から遮光幕羽根群の駆動力が伝達される主アームの支持軸穴が円筒支持部によって構成されることが望ましい。
（３）  上述した各実施の形態および変形例は、それぞれ組み合わせてもよい。
【００４５】
なお、本発明は、上述した実施の形態のものに何ら限定されず、被写体像を撮像する撮像手段へ被写体光を導くために撮像手段の前方に設けられる撮影開口と、撮影開口を遮蔽および開放することで撮像手段への被写体光の入射を禁止および許可する遮光羽根群と、遮光羽根群が取り付けられる略板状部材であって、略板状部材の一部が厚さ方向に立ち上がって延在して略円筒形状を呈するように形成された円筒部を有するアームと、円筒部の内周部分に挿通させることでアームを回動可能に軸支する支持軸が立設されるとともに、支持軸で軸支されたアームに支持軸の基端部側から当接してアームの基端部側への移動を規制する当接部とを有する基板と、支持軸に軸支されたアームに支持軸の先端部側から当接してアームの先端部側への移動を規制する移動規制部材とを備え、アームは、円筒部以外の平坦部分が当接部および移動規制部材と当接すると、支持軸の基端部側および先端部側への移動が規制されることを特徴とする各種構造のシャッタ装置、および、このシャッタ装置を備えるカメラを含むものである。
【符号の説明】
【００４６】
１  カメラボディ                                ３  撮像素子
１００  シーケンスシャッタ駆動ユニット          １１０  シーケンス地板
１８１  先幕主アーム支持ピン                    １８２  後幕主アーム支持ピン
１８３  先幕従動アーム支持ピン                  １８４  後幕従動アーム支持ピン
４００  遮光幕機構                              ４１１  先幕遮光羽根群
４２１ａ，４２２ａ，４４１ａ，４４２ａ  支持軸穴
４２１  先幕主アーム                            ４２２  先幕従動アーム
４３１  後幕遮光羽根群                          ４４１  後幕主アーム
４４２  後幕従動アーム                          ４６０  前ケース
４７０  後カバー
４２１０，４２２０，４４１０，４４２０  円筒支持部
【図１】
0005532914.tif 000002
【図２】
0005532914.tif 000003
【図３】
0005532914.tif 000004
【図４】
0005532914.tif 000005
【図５】
0005532914.tif 000006
【図６】
0005532914.tif 000007
【図７】
0005532914.tif 000008